(57)【要約】【課題】興趣性に富む衣類及び衣類セットを提供する。【解決手段】衣類１は、衣類本体２の第１の部位に形成された第１の絵柄３と、第１の絵柄３の全部を覆って衣類本体２の第１の部位に形成された第２の絵柄４と、を備え、第１の絵柄３は、第１の状態において、少なくともその一部が可視可能となり、第２の絵柄４は、第１の部位の温度が第１の状態とは異なる第２の状態において、その全部が可視可能となる。【選択図】図１
2019090124.tif 000002
【特許請求の範囲】
【請求項１】
衣類本体と、
前記衣類本体の第１の部位に形成された第１の絵柄と、
前記第１の絵柄の全部を覆って前記衣類本体の前記第１の部位に形成された第２の絵柄と、
を備え、
前記第１の絵柄は、第１の状態において、少なくともその一部が可視可能となり、
前記第２の絵柄は、前記第１の部位の温度が前記第１の状態とは異なる第２の状態において、その全部が可視可能となる衣類。
【請求項２】
請求項１に記載の衣類であって、
前記第１の絵柄は、前記第２の状態において、その全部が不可視となり、
前記第２の絵柄は、前記第１の状態において、少なくともその一部が不可視となる衣類。
【請求項３】
請求項１又は２に記載の衣類であって、
前記第１の状態及び前記第２の状態において、その全部が可視可能である第３の絵柄をさらに備える衣類。
【請求項４】
請求項３に記載の衣類であって、
前記第３の絵柄は、前記衣類本体の第２の部位に設けられている衣類。
【請求項５】
請求項４に記載の衣類であって、
前記第３の絵柄は、前記第２の絵柄に隣設されている衣類。
【請求項６】
請求項３から５のいずれか一項に記載の衣類であって、
前記第３の絵柄は、前記第１の絵柄と同種の絵柄である衣類。
【請求項７】
請求項１から６のいずれか一項に記載の衣類であって、
前記第２の状態は、少なくとも前記第１の部位が常温であり、
前記第１の状態は、少なくとも前記第１の部位が常温よりも高温である衣類。
【請求項８】
請求項７に記載の衣類であって、
前記第１の絵柄は、前記第１の状態からの温度低下に伴って不可視となる衣類。
【請求項９】
請求項７又は８に記載の衣類であって、
前記第１の状態は、前記衣類本体の表面又は裏面が着衣者の身体と接触した状態である衣類。
【請求項１０】
請求項１から９のいずれか一項に記載の衣類であって、
前記第２の絵柄は、前記第２の状態において不透明に呈色し、前記第２の状態から前記第１の状態への変化に応じて透明又は半透明に変化する衣類。
【請求項１１】
請求項１０に記載の衣類であって、
前記第２の状態における前記第２の絵柄の色は、前記第１の絵柄の色と同系色である衣類。
【請求項１２】
請求項１１に記載の衣類であって、
前記第１の絵柄の色は、前記第２の状態における前記第２の絵柄の色よりも淡い衣類。
【請求項１３】
請求項１０から１２のいずれか一項に記載の衣類であって、
前記第２の絵柄は、温度に応じて変色するインクによって形成されている衣類。
【請求項１４】
請求項１３に記載の衣類であって、
前記第２の絵柄を形成している前記インクは、紫外線吸収剤を含む衣類。
【請求項１５】
請求項１３又は１４に記載の衣類であって、
前記第１の絵柄の表面には、紫外線吸収剤を含む被膜が形成されている衣類。
【請求項１６】
請求項１４又は１５に記載の衣類であって、
前記紫外線吸収剤は、２種以上の紫外線吸収剤が混合されてなる衣類。
【請求項１７】
請求項１から１６のいずれか一項に記載の衣類であって、
前記第１の部位は、前記衣類本体の前身頃の一部である衣類。
【請求項１８】
上半身用衣類と、下半身用衣類と、を備え、
前記上半身用衣類は、上半身用衣類本体と、前記上半身用衣類本体に形成されている第１の絵柄と、当該第１の絵柄の全部を覆って前記上半身用衣類本体に形成されている第２の絵柄と、を有し、
前記下半身用衣類は、下半身用衣類本体と、前記下半身用衣類本体に形成されている第１の絵柄と、当該第１の絵柄の全部を覆って前記下半身用衣類本体に形成されている第２の絵柄と、を有し、
前記上半身用衣類及び前記下半身用衣類それぞれの前記第１の絵柄は、第１の状態において、少なくともその一部が可視可能となり、
前記上半身用衣類及び前記下半身用衣類それぞれの前記第２の絵柄は、当該第２の絵柄が形成されている部位の温度が前記第１の状態とは異なる第２の状態において、その全部が可視可能となる衣類セット。
【請求項１９】
請求項１８に記載の衣類セットであって、
前記上半身用衣類の前記第１の絵柄と、前記下半身用衣類の前記第１の絵柄とは、同種の絵柄である衣類セット。
【発明の詳細な説明】
【技術分野】
【０００１】
本発明は、衣類及び衣類セットに関する。
【背景技術】
【０００２】
特許文献１に記載された防水性衣料品は、サーモクロミック染料又はフォトクロミック染料を含む樹脂化合物からなり、周囲の温度又は周囲の紫外線に応じて変色する。
【先行技術文献】
【特許文献】
【０００３】
【特許文献１】特表２００７−５２６４０１号公報
【発明の概要】
【発明が解決しようとする課題】
【０００４】
特許文献１に記載された防水性衣料品は、周囲の温度又は周囲の紫外線に応じて、衣料品全体が第１の色から第２の色に変化するものであり、変化が単調であって興趣性に欠ける。
【０００５】
本発明は、上述した事情に鑑みなされたものであり、興趣性に富む衣類及び衣類セットを提供することを目的とする。
【課題を解決するための手段】
【０００６】
本発明に係る衣類は、衣類本体と、前記衣類本体の第１の部位に形成された第１の絵柄と、前記第１の絵柄の全部を覆って前記衣類本体の前記第１の部位に形成された第２の絵柄と、を備え、前記第１の絵柄は、第１の状態において、少なくともその一部が可視可能となり、前記第２の絵柄は、前記第１の部位の温度が前記第１の状態とは異なる第２の状態において、その全部が可視可能となる。
【０００７】
また、本発明に係る衣類においては、前記第１の絵柄は、前記第２の状態において、その全部が不可視となり、前記第２の絵柄は、前記第１の状態において、少なくともその一部が不可視となってもよい。
【０００８】
また、本発明に係る衣類においては、前記第１の状態及び前記第２の状態において、その全部が可視可能である第３の絵柄をさらに備えてもよい。
【０００９】
また、本発明に係る衣類においては、前記第３の絵柄は、前記衣類本体の第２の部位に設けられてもよい。
【００１０】
また、本発明に係る衣類においては、前記第３の絵柄は、前記第２の絵柄に隣設されてもよい。
【００１１】
また、本発明に係る衣類においては、前記第３の絵柄は、前記第１の絵柄と同種の絵柄であってもよい。
【００１２】
また、本発明に係る衣類においては、前記第２の状態は、少なくとも前記第１の部位が常温であり、前記第１の状態は、少なくとも前記第１の部位が常温よりも高温であってもよい。
【００１３】
また、本発明に係る衣類においては、前記第１の絵柄は、前記第１の状態からの温度低下に伴って不可視となってもよい。
【００１４】
また、本発明に係る衣類においては、前記第１の状態は、前記衣類本体の表面又は裏面が着衣者の身体と接触した状態であってもよい。
【００１５】
また、本発明に係る衣類においては、前記第２の絵柄は、前記第２の状態において不透明に呈色し、前記第２の状態から前記第１の状態への変化に応じて透明又は半透明に変化してもよい。
【００１６】
また、本発明に係る衣類においては、前記第２の状態における前記第２の絵柄の色は、前記第１の絵柄の色と同系色であってもよい。
【００１７】
また、本発明に係る衣類においては、前記第１の絵柄の色は、前記第２の状態における前記第２の絵柄の色よりも淡くてもよい。
【００１８】
また、本発明に係る衣類においては、前記第２の絵柄は、温度に応じて変色するインクによって形成されてもよい。
【００１９】
また、本発明に係る衣類においては、前記第２の絵柄を形成している前記インクは、紫外線吸収剤を含んでもよい。
【００２０】
また、第１の絵柄の表面には、紫外線吸収性組成物からなる被膜が形成されてもよい。  
【００２１】
また、本発明に係る衣類においては、前記紫外線吸収性組成物は、２種以上の紫外線吸収剤を含んでもよい。
【００２２】
また、本発明に係る衣類においては、前記第１の部位は、前記衣類本体の前身頃の一部であってもよい。
【００２３】
また、本発明に係る衣類セットは、上半身用衣類と、下半身用衣類と、を備え、前記上半身用衣類は、上半身用衣類本体と、前記上半身用衣類本体に形成されている第１の絵柄と、当該第１の絵柄の全部を覆って前記上半身用衣類本体に形成されている第２の絵柄と、を有し、前記下半身用衣類は、下半身用衣類本体と、前記下半身用衣類本体に形成されている第１の絵柄と、当該第１の絵柄の全部を覆って前記下半身用衣類本体に形成されている第２の絵柄と、を有し、前記上半身用衣類及び前記下半身用衣類それぞれの前記第１の絵柄は、第１の状態において、少なくともその一部が可視可能となり、前記上半身用衣類及び前記下半身用衣類それぞれの前記第２の絵柄は、当該第２の絵柄が形成されている部位の温度が前記第１の状態とは異なる第２の状態において、その全部が可視可能となることを特徴とする。
【００２４】
また、本発明に係る衣類セットにおいては、前記上半身用衣類の前記第１の絵柄と、前記下半身用衣類の前記第１の絵柄とは、同種の絵柄であってもよい。
【発明の効果】
【００２５】
本発明によれば、興趣性に富む衣類及び衣類セットを提供することができる。
【図面の簡単な説明】
【００２６】
【図１】本発明の実施形態を説明するための、上半身用衣類の一例の平面図である。
【図２】図１の上半身用衣類の変化後の平面図である。
【図３】本発明の実施形態を説明するための、下半身用衣類の一例の平面図である。
【図４】図３の下半身用衣類の変化後の平面図である。
【発明を実施するための形態】
【００２７】
図１及び図２は、本発明の実施形態を説明するための、衣類の一例を示す。
【００２８】
図１及び図２に示す衣類１は、上半身用衣類であって、着衣者の身体に接するシャツ等の衣類である。衣類１は、衣類本体２を備え、衣類本体２の前身頃には、第１の絵柄３と、第２の絵柄４と、第３の絵柄５とが印刷されている。衣類本体２の材料は、特に限定されず、織布、不織布、樹脂シート等から適宜選択される。
【００２９】
第１の絵柄３は、本例ではキャラクタによって構成されており、衣類本体２の前身頃の第１の部位に形成されている。第２の絵柄４は、本例では塗りつぶされた星形の図形によって構成されており、第１の絵柄３の上に重なり且つ第１の絵柄３を包含して、換言すれば第１の絵柄３の全部を覆って衣類本体２の前身頃の第１の部位に形成されている。
【００３０】
第２の絵柄４は、常温（例えば２５℃以下）では不透明に呈色し、常温から高温（常温を超える温度）への変化に応じて透明又は半透明に変化する。したがって、第１の部位を含む衣類本体２の温度が常温の状態（第２の状態）では、図１に示すとおり、第２の絵柄４は、その全部が不透明に呈色して可視可能となり、第１の絵柄３は、不透明に呈色した第２の絵柄４によって覆われ、その全部が不可視となる。一方、第１の部位を含む衣類本体２の温度が常温よりも高温の状態（第１の状態）では、図２に示すとおり、第２の絵柄４は、少なくともその一部が透明又は半透明に変化して不可視となり、第１の絵柄３は、透明又は半透明に変化した第２の絵柄４を通して、少なくともその一部が可視可能となる。ここで、第２の絵柄４が透明又は半透明に変化する温度は、例えば着衣者の身体に接する衣類本体２が着衣者の身体によって温められた際の衣類本体２の温度である。
【００３１】
このように、衣類本体２の第１の部位に、常温では第２の絵柄４が現れ、常温よりも高温では第１の絵柄３が現れ、一つの部位に現れる絵柄が温度に応じて変化するので、興趣性に富む。
【００３２】
なお、第１の絵柄３及び第２の絵柄４が形成される第１の部位は、特に限定されないが、好ましくは前身頃である。これにより、着衣者が衣類１を身に着けた状態で第１の部位における絵柄の変化を見ることができ、興趣性を高めることができる。
【００３３】
第３の絵柄５は、衣類本体２の前身頃の第２の部位に形成されている。第３の絵柄５は、衣類本体２の温度が常温の状態（第２の状態）及び衣類本体２の温度が常温よりも高温の状態（第１の状態）において、その全部が可視可能である。
【００３４】
第３の絵柄５は、好ましくは第２の絵柄４に隣設される。これにより、第３の絵柄５と第２の絵柄４との一体性を醸成し、第２の絵柄４から第１の絵柄３への変化によって第３の絵柄５と第２の絵柄４との一体性を敢えて崩すことにより、常温から高温への変化に応じた第１の部位における絵柄の変化を強調でき、興趣性をさらに高めることができる。
【００３５】
また、第３の絵柄５は、好ましくは第１の絵柄３と同種の絵柄であり、第２の絵柄４とは異種の絵柄とされる。これにより、常温から高温への変化に応じた第１の部位における絵柄の変化をさらに強調でき、興趣性をさらに高めることができる。ここで絵柄が「同種」であるとは、第１の絵柄３が図形によって構成されている場合に、第３の絵柄５も図形によって構成されていればよく、図形の異同は問わない。また、第１の絵柄３がキャラクタによって構成されている場合に、第３の絵柄５もキャラクタによって構成されていればよく、キャラクタの異同は問わない。本例では、第１の絵柄３がキャラクタによって構成されており、第３の絵柄５もまたキャラクタによって構成されている。
【００３６】
常温では不透明に呈色し、常温から高温への変化に応じて透明又は半透明に変化する第２の絵柄４は、温度に応じて変色するインクによって形成することができ、そのようなインクとして、以下の成分を含むインクを例示することができる。
1-Tetradecanol                                             :40〜65％
Sixteen acid twelve alcohol ester                          :20〜40％
2,2-Bis(4-hydroxyphenyl)butane                             :7〜20％
2-(2,4-Dimethylphenylamino)-3-methyl-6-diethylaminofluoran :3〜9％
Melamine resin                                             :15〜35％
【００３７】
上記インクは、常温で不透明な赤色を呈し、常温から高温への変化に応じて透明に変化する。なお、上記インクは一例であり、これに限定されない。例えば一般的に用いられる黄色顔料を上記インクに含んでもよく、この場合、常温で不透明なオレンジ色を呈し、常温から高温への変化に応じて半透明な黄色に変化する。
【００３８】
好ましくは、第２の絵柄４を形成するインクは紫外線吸収剤を含む。紫外線吸収剤を含むことにより、日光に晒されることに起因して第２の絵柄４が退色することを抑制でき、常温において第１の絵柄３が第２の絵柄４を透けて視認されてしまうことを抑制できる。紫外線吸収剤としては、例えば[3-[3-(2H-Benzotriazol-2-yl)-5-(1,1-dimethylethyl)-4-hydroxyphenyl]-1-oxopropyl]-hydroxy-,poly(oxo-1,2-ethanediyl)、Tinuvin-1130、Poly(ethyleneoxide)等を用いることができる。より好ましくは、第２の絵柄４を形成するインクに含まれる紫外線吸収剤は、２種以上の紫外線吸収剤が混合されてなる。これにより、吸収波長域を拡大でき、第２の絵柄４の退色を一層抑制できる。
【００３９】
一方、第１の絵柄３及び第３の絵柄５は、適宜なインクによって形成することができるが、好ましくは、第２の絵柄４によって覆われる第１の絵柄３の色は、常温における第２の絵柄４の色と同系色である。より好ましくは、第１の絵柄３の色は、常温における第２の絵柄４の色よりも淡い。これにより、常温において第１の絵柄３が第２の絵柄４を透けて視認されてしまうことを抑制できる。
【００４０】
第１の絵柄３の退色を抑制する観点から、紫外線吸収剤を含む被膜が第１の絵柄３の表面に形成されてもよい。第１の絵柄３の退色が抑制されることにより、常温よりも高温の状態（第１の状態）で、透明又は半透明に変化した第２の絵柄４を通して視認される第１の絵柄３の視認性を維持できる。
【００４１】
第１の絵柄３を形成するインクは、温度に応じて色が変化するインクではないので、耐光性は高く、紫外線吸収剤を含ませる必要性は低い。一方、第２の絵柄４を形成するインクは、温度に応じて色が変化するインクであるので、耐光性が安定せず、紫外線吸収剤を含ませる必要性がある。このような理由により、前述した構成とし、これにより持続的な色変化を楽しむことができる。  
【００４２】
図３及び図４は、本発明の実施形態を説明するための、衣類の他の例を示す。
【００４３】
図３及び図４に示す衣類１１は、下半身用衣類であって、着衣者の身体に接するパンツ等の衣類である。衣類１１は、衣類本体１２を備え、衣類本体１２の前身頃には、第１の絵柄１３と、第１の絵柄１３の全部を覆う第２の絵柄１４とが印刷されている。
【００４４】
第２の絵柄１４は、常温では不透明に呈色し、常温から高温（常温を超える温度）への変化に応じて透明又は半透明に変化する。したがって、第１の部位を含む衣類本体１２の温度が常温の状態（第２の状態）では、図３に示すとおり、第２の絵柄１４は、その全部が不透明に呈色して可視可能となり、第１の絵柄１３は、不透明に呈色した第２の絵柄１４によって覆われ、その全部が不可視となる。一方、第１の部位を含む衣類本体１２の温度が常温よりも高温の状態（第１の状態）では、図４に示すとおり、第２の絵柄１４は、少なくともその一部が透明又は半透明に変化して不可視となり、第１の絵柄１３は、透明又は半透明に変化した第２の絵柄１４を通して、少なくともその一部が可視可能となる。
【００４５】
この下半身用の衣類１１は、図１及び図２に示した上半身用の衣類１とセットとなる衣類であり、好ましくは第１の絵柄１３は、衣類１の第１の絵柄３と同種の絵柄である。これにより、セットとなる衣類１と衣類１１との一体感を高められる。本例では、キャラクタによって構成される衣類１の第１の絵柄３に対応して、衣類１１の第１の絵柄１３もまたキャラクタによって構成されている。
【符号の説明】
【００４６】
１  衣類（上半身用衣類）
２  衣類本体
３  第１の絵柄
４  第２の絵柄
５  第３の絵柄
１１  衣類（下半身用衣類）
１２  衣類本体
１３  第１の絵柄
１４  第２の絵柄
【図１】
2019090124.tif 000003
【図２】
2019090124.tif 000004
【図３】
2019090124.tif 000005
【図４】
2019090124.tif 000006
【手続補正書】
【提出日】平成30年10月29日(2018.10.29)
【手続補正１】
【補正対象書類名】特許請求の範囲
【補正対象項目名】全文
【補正方法】変更
【補正の内容】
【特許請求の範囲】
【請求項１】
衣類本体と、
前記衣類本体の第１の部位に形成された第１の絵柄であって、第１の状態において、少なくともその一部が可視可能となる第１の絵柄と、
前記第１の絵柄の全部を覆って前記衣類本体の前記第１の部位に形成された第２の絵柄であって、前記第１の部位の温度が前記第１の状態とは異なる第２の状態において、不透明に呈色し、その全部が可視可能となり、前記第２の状態から前記第１の状態への変化に応じて透明又は半透明に変化する第２の絵柄と、
を備え、
前記第２の絵柄は、温度に応じて変色するインクによって形成され、当該インクは、紫外線吸収剤を含む衣類。
【請求項２】
請求項１に記載の衣類であって、
前記第１の絵柄は、前記第２の状態において、その全部が不可視となり、
前記第２の絵柄は、前記第１の状態において、少なくともその一部が不可視となる衣類。
【請求項３】
請求項１又は２に記載の衣類であって、
前記第１の状態及び前記第２の状態において、その全部が可視可能である第３の絵柄をさらに備える衣類。
【請求項４】
請求項３に記載の衣類であって、
前記第３の絵柄は、前記衣類本体の第２の部位に設けられている衣類。
【請求項５】
請求項４に記載の衣類であって、
前記第３の絵柄は、前記第２の絵柄に隣設されている衣類。
【請求項６】
請求項３から５のいずれか一項に記載の衣類であって、
前記第３の絵柄は、前記第１の絵柄と同種の絵柄である衣類。
【請求項７】
請求項１から６のいずれか一項に記載の衣類であって、
前記第２の状態は、少なくとも前記第１の部位が常温であり、
前記第１の状態は、少なくとも前記第１の部位が常温よりも高温である衣類。
【請求項８】
請求項７に記載の衣類であって、
前記第１の絵柄は、前記第１の状態からの温度低下に伴って不可視となる衣類。
【請求項９】
請求項７又は８に記載の衣類であって、
前記第１の状態は、前記衣類本体の表面又は裏面が着衣者の身体と接触した状態である衣類。
【請求項１０】
請求項１から９のいずれか一項に記載の衣類であって、
前記第２の状態における前記第２の絵柄の色は、前記第１の絵柄の色と同系色である衣類。
【請求項１１】
請求項１０に記載の衣類であって、
前記第１の絵柄の色は、前記第２の状態における前記第２の絵柄の色よりも淡い衣類。
【請求項１２】
請求項１から１１のいずれか一項に記載の衣類であって、
前記第１の絵柄の表面には、紫外線吸収剤を含む被膜が形成されている衣類。
【請求項１３】
請求項１から１２のいずれか一項に記載の衣類であって、
前記紫外線吸収剤は、２種以上の紫外線吸収剤が混合されてなる衣類。
【請求項１４】
請求項１から１３のいずれか一項に記載の衣類であって、
前記第１の部位は、前記衣類本体の前身頃の一部である衣類。
【請求項１５】
上半身用衣類と、下半身用衣類と、を備え、
前記上半身用衣類は、上半身用衣類本体と、前記上半身用衣類本体の第１の部位に形成されている第１の絵柄であって、第１の状態において、少なくともその一部が可視可能となる第１の絵柄と、当該第１の絵柄の全部を覆って前記上半身用衣類本体の前記第１の部位に形成されている第２の絵柄であって、前記第１の部位の温度が前記第１の状態とは異なる第２の状態において、不透明に呈色し、その全部が可視可能となり、前記第２の状態から前記第１の状態への変化に応じて透明又は半透明に変化する第２の絵柄と、を備え、
前記下半身用衣類は、下半身用衣類本体と、前記下半身用衣類本体の第１の部位に形成されている第１の絵柄であって、第１の状態において、少なくともその一部が可視可能となる第１の絵柄と、当該第１の絵柄の全部を覆って前記下半身用衣類本体の前記第１の部位に形成されている第２の絵柄であって、前記第１の部位の温度が前記第１の状態とは異なる第２の状態において、不透明に呈色し、その全部が可視可能となり、前記第２の状態から前記第１の状態への変化に応じて透明又は半透明に変化する第２の絵柄と、を備え、
前記第２の絵柄は、温度に応じて変色するインクによって形成され、当該インクは、紫外線吸収剤を含む衣類セット。
【請求項１６】
請求項１５に記載の衣類セットであって、
前記上半身用衣類の前記第１の絵柄と、前記下半身用衣類の前記第１の絵柄とは、同種の絵柄である衣類セット。
【手続補正２】
【補正対象書類名】明細書
【補正対象項目名】０００６
【補正方法】変更
【補正の内容】
【０００６】
本発明に係る衣類は、衣類本体と、前記衣類本体の第１の部位に形成された第１の絵柄と、前記第１の絵柄の全部を覆って前記衣類本体の前記第１の部位に形成された第２の絵柄と、を備え、前記第１の絵柄は、第１の状態において、少なくともその一部が可視可能となり、前記第２の絵柄は、前記第１の部位の温度が前記第１の状態とは異なる第２の状態において、その全部が可視可能となる。また、本発明に係る衣類は、衣類本体と、前記衣類本体の第１の部位に形成された第１の絵柄であって、第１の状態において、少なくともその一部が可視可能となる第１の絵柄と、前記第１の絵柄の全部を覆って前記衣類本体の前記第１の部位に形成された第２の絵柄であって、前記第１の部位の温度が前記第１の状態とは異なる第２の状態において、不透明に呈色し、その全部が可視可能となり、前記第２の状態から前記第１の状態への変化に応じて透明又は半透明に変化する第２の絵柄と、を備え、前記第２の絵柄は、温度に応じて変色するインクによって形成され、当該インクは、紫外線吸収剤を含む。